(57)【要約】      （修正有）【課題】マイナス電子放射作用とそれを補助する自然作用による人体の自然治癒、鎮痛などと人体の活性化を図ることを局部的に容易にした一方向性伸縮マイナス電子繊維体を提供する。【解決手段】一方向に伸縮する繊維体２にマイナス電子作用とそれを補助する自然作用機能を持った粉末４をコーティング処理し、それを任意の長さで止めることができる止め具を特徴とするものである。【選択図】図１
0003110348.tif 000002
【実用新案登録請求の範囲】
【請求項１】
一方向に伸縮する繊維体にＳｉＯ２やＣｅ２Ｏ３を主成分とし、トリウム系鉱石粉末とマイナス電子発生天然鉱石粉末と磁気元素粉末と遠赤外線鉱石粉末などを調整配合し、適度な粘度の接着溶剤と混合させ、コーティング処理で形成させたことと、その片面に粘着剤を付着させたことを特徴とする一方向性伸縮マイナス電子繊維体。
【請求項２】
前記、請求項１に記載の一方向性伸縮マイナス電子繊維体を長さの変化から、包帯やサポーター又はテーピング材として、身体の各箇所に密着させることで、鎮痛や疲労回復等を緩和させることができ、多種多様な人の細胞活性化を図ることや持続性を特徴とする一方向性伸縮マイナス電子繊維体。
【請求項３】
前記、請求項１及び請求項２に記載の一方向性伸縮マイナス電子繊維体の片面末端を両側から挟み込み、その延長上の繊維体７０〜９０％に凹面を用い、反対側末端の２０〜３０％を凸面にすることで、任意の長さで外れ止めを得ることを特徴とする一方向性伸縮マイナス電子繊維体の止め具。
【考案の詳細な説明】
【技術分野】
【０００１】  本考案は、マイナス電子放射作用とそれを補助する自然作用による人体の自然治癒、鎮痛などと生命体の活性化を図ることを局部的に容易にした一方向に伸縮する繊維体に関するものである。
【背景技術】
【０００２】  従来から、人体の局部的な痛みには一般的に首、肩、腰、膝などが特に多く上げられる。それらを鎮痛化する手段には、薬などによる治療や針、整体、お灸や市販のマイナスイオンシートあるいは遠赤外線シートなど多種多様が存在する。【０００３】  その中でもシート類は誰もが容易に扱うことができる為、昔から広範囲に知られているが、効果的な部分のバラツキや、短期間の鎮痛が殆どであることなどから、一時的な鎮痛対策となっていた。【０００４】  同様に最近は包帯にチタンや遠赤外線を仕組ませた特殊なものが出てきたが、いずれも従来のシート類と同類のようである。また、マイナスイオンを発生する多くの健康器具も提案されているが、最終的には多額な費用が発生し、個人的負担増となっている。
【考案の開示】
【考案が解決しようとする課題】
【０００５】  本考案は、これら問題を解決し、更に生命体の活性化で自然治癒力を高めることを可能にし、持続性で取り扱いが容易、更に安価な一方向にだけ伸縮する繊維体とその止め具を提供するものである。
【課題を解決する為の手段】
【０００６】  本考案の請求項１に記載に関わる一方向性伸縮マイナス電子繊維体は一方向に伸縮する繊維体にＳｉＯ２やＣｅ２Ｏ３を主成分とし、トリウム系鉱石粉末とマイナス電子発生天然鉱石と磁気元素粉末などを調整配合し、適度な粘度の接着溶剤と混合させ、コーティング処理をしたものと、そこに粘着剤を付着させたことを特徴とするものである。
【０００７】  コーティング処理後の一方向性伸縮マイナス電子繊維体は、マイナスイオン個数が５００個／ｃｃ〜５，０００個／ｃｃの範囲がコーティング処理範囲である。測定数値は、コムシステム株式会社製の簡易式マイナスイオン測定器ＣＯＭ−３０１０で測定したものである。マイナスイオン個数が少ない場合は柔軟性があるが、多数になると繊維体に柔らかさが出なくなるのが、一般的である。本考案は、コーティング処理の調合剤と調配合及び製造方法で上記範囲内であれば、効力と柔軟性を落とすことなく完成できるものである。
【０００８】  また、粘着剤を付着させた一方向性伸縮マイナス電子繊維体は、粘着部の下に剥離紙を合わせ、ロール状にしたものであるが、任意の長さをはさみ等で切断することと、等分の長さでミシン目を入れ、はさみを使用しなくても良いものもできるものである。
【０００９】  本考案の請求項２に記載に関わる一方向性伸縮マイナス電子繊維体は長さの変化から、包帯やサポーターとして、身体の各箇所に密着させることで、鎮痛や疲労回復等を緩和させることができ、多種多様な人の活性化を図ることを目的とし、持続性を特徴とするものである。
【００１０】  持続性を維持するには、洗濯による効力低下などの問題があるが、１００回ほどの洗濯実験によれば、低下は見受けられず、最初の感触を維持できるものである。よって、本考案の請求項２に記載する一方向性伸縮マイナス電子繊維体は、効果を持続できるものである。
【００１１】  また、接着剤を付着させたものは、使い捨てになるが、簡単なテーピングが可能であり、携帯用として付帯できるものである。
【００１２】  本考案の請求項１及び請求項２に記載に関わる一方向性伸縮マイナス電子繊維体の片面末端を両側から挟み込み、その延長上の繊維体７０〜９０％に凹面を用い、反対末端面の２０〜３０％を凸面にすることで、任意の長さで外れ止めを得ることを特徴とする一方向性伸縮マイナス電子繊維体の止め具である。
【００１３】  一方向性伸縮マイナス電子繊維体を使用する場合、外れ止めがテープや紐、若しくは外れ止めが可能な他社の止め具を必要とする。本考案では、一方向性伸縮繊維体の使いやすさを引き出す為に、凹凸を用いた挟み部と止め範囲長さが調整できる凹凸のテープを組み合わせた専用止め具を考案したものである。
【考案の効果】
【００１４】  一方向に伸縮する繊維体にマイナス電子や磁気元素及び遠赤外線粉末をコーティング処理し、包帯やサポーター更にはテーピングのように身体に密着させることで、鎮痛作用や細胞の活性化を向上させ、健康増進に役立てられる。
【００１５】  また使用の際にその止め具として任意の長さの外れ止めとしたことで、簡単な取付け取り外しができた。更に持続性があり、安価である為、個人負担の出費が軽減されるものである。
【考案を実施するための最良の形態】
【００１６】  本考案の一方向性伸縮マイナス電子繊維体について、実施例を参照に説明をする。
【実施例】
【００１７】  本考案の実施例について、図を参照にしながら、説明をする。【００１８】  本考案による一方向性伸縮マイナス電子繊維体の本体（１）とは、繊維が編み物と織布の中間に位置し、横方向の伸縮はなく、長手方向のみに約２倍の伸び率を持つようになっており、長手方向伸縮繊維体（２）と横方向固定繊維体（３）は同じ繊維体であるが、編み込み方向が長手方向に伸縮するよう織り込んだ繊維体である。【００１９】  上記、一方向伸縮マイナス電子繊維体本体（１）は、市販の包帯とは異なり、横方向の伸びがない為、身体に密着させた場合は、幅の減少がなく部位に的確に合わせることができるものである。また、幅の種類を５０ｍｍ、７５ｍｍ、１５０ｍｍとし、包帯やサポーターの幅に類似するものは同局部に腹巻程度の幅のものは同局部に使用が可能であり、更には首、肩、手首、ひじ、腰、膝、足首など特に痛みが出る部位には活躍できるものである。尚、幅は任意で製作が可能である。【００２０】  本考案は、その一方向性伸縮繊維体にＳｉＯ２やＣｅ２Ｏ３を主成分とした自然界から産出された鉱石とトリウム系鉱石、マイナス電子を放射する天然鉱石、磁気元素鉱石、遠赤外線鉱石などをそれぞれ同一径の３〜２０μｍの粉末にして約１２０〜３００ｇ調整配合したものをコーティング材料粉末（４）とし、コーティング処理を施したものである。【００２１】  コーティング処理液のバインダーは、水７５％に軟性と硬性のバインダーをそれぞれ１０％の割合で混合した主剤を用いる。それに粘着防止剤を１〜３％、柔軟剤を１〜３％、固着剤を３〜５％の割合で混合調整し、攪拌してコーティング処理液とする。【００２２】  上記コーティング処理液に３〜２０μｍのコーティング材料粉末（４）を１０〜４０％混合配合し、１０〜３０分間ほど十分攪拌してコーティング処理剤とする。この場合、粉末は少量ずつ混合させながらやることが攪拌の条件である。【００２３】  攪拌装置と数個のローラーを備えたコーティング処理機の槽に一方向性伸縮繊維体をローラーに沿って平行に通し、その後、搾液装置と乾燥機を経て、巻き取り機までセットする。コーティング処理液はコーティング処理機層の約８０％満たし、沈殿防止の攪拌機を連続動作させておくことが大事である。【００２４】  コーティング時間を一方向性伸縮繊維体の巻き取り機の回転により、コーティング処理液の浸透時間を１０〜３０秒として、コーティング処理を開始する。コーティングされた一方向性伸縮繊維体は搾液装置により、搾り出され、順次乾燥機内に入り、３〜５分間の通過で乾燥を終える。その乾燥温度は１５０〜１８０℃が固着させる温度として適切である。その後、巻き取りローラーによって、完了する。又は、裁断を行うものである。【００２５】  また、接着剤の付着と剥離紙は、その後の接着剤コーティング処理として付加するものである。更にミシン目など切断を容易に出来る加工は、最後の製造工程で行うものである。【００２６】  上記、コーティング処理により、柔軟で効力を備え、洗濯での効力劣化もなく、持続性のある一方向性伸縮マイナス電子繊維体が可能となった。従来においては、繊維の柔軟性に対する問題で粉末の粒子を１．５μｍ以下にしないとが硬直が現れ、繊維���体の柔軟さが損なわれると云うのが実態であったが、本考案のコーティング処理では、まったく改善されたものである。更に両端のほつれ防止とし、任意の長さに約１０ｍｍ幅で熱処理を加え、その中間を切断することにより、切り口のほつれをなくすことができるものであり、高品質化としたものである。たとえば、１、０００ｍｍのごとに１０ｍｍ幅の熱処理を施しておくことで、１、０００ｍｍの長さで消費者に提供できるものである。この熱処理は消費者ニーズに合わせることが可能であるので、使用用途が広範囲になるものである。【００２７】  一方向性伸縮マイナス電子繊維体の本体（１）は、使用用途により、長さを指定できるが、これに対する専用の止め具を図３により、説明する。【００２８】  一方向性伸縮マイナス電子繊維体の本体（１）を任意に切断し、片面の末端を一方向性伸縮マイナス電子繊維体止め具本体（５）の一方向性伸縮マイナス電子繊維体繋ぎ部（６）の奥まで入れ込み、爪で挟むように両方から圧閉めをする。【００２９】  膝に巻くとすると、一方向性伸縮マイナス電子繊維体の本体（１）の末端から、外れ止め下地繊維（９）を下側に巻き、最終的に外れとめ凹部（７）に外れ止め凸部（８）を嵌入させるものである。【００３０】  上記により、長さの微調整が効く為、使用する箇所の太さや巻き手順に変化があっても容易に対応できるものである。【００３１】  試験的使用者によれば、鎮痛の和らぎが即時であり、冷え性対策などの効果が抜群であり、使い勝手が容易などの評価である。また、テーピングへの効力も大であり、総合的に云えば、消費者に喜ばれるものである。
【図面の簡単な説明】
【００３２】
【図１】一方向性伸縮マイナス電子繊維体の斜視図である。
【図２】一方向性伸縮マイナス電子繊維体の断面図である。
【図３】一方向性伸縮マイナス電子繊維体の止め具の平面図と正面図である。
【図４】一方向性伸縮マイナス電子繊維体の製造工程図である。
【符号の説明】
１、一方向性伸縮マイナス電子繊維体の本体
２、長手方向伸縮繊維体
３、横方向固定繊維体
４、コーティング材料粉末
５、一方向性伸縮マイナス電子繊維体止め具本体
６、一方向性伸縮マイナス電子繊維体繋ぎ部
７、外れ止め凹部
８、外れ止め凸部
９、外れ止め下地繊維
【図１】
0003110348.tif 000003
【図２】
0003110348.tif 000004
【図３】
0003110348.tif 000005
【図４】
0003110348.tif 000006